(57)【要約】  電気的に絶縁された格子が、第１のアレイの平行な管状部材（２）、および第２のアレイの平行な管状部材（４）を備える。第２のアレイの平行な管状部材（４）の各々は、第１のアレイの複数の平行な管状部材（２）と枢動可能に接続され、それによって格子（１）を形成する。管状部材の各々は、ガラス繊維補強ポリマーから形成される。ガラス繊維補強ポリマーの第１の繊維のセットは実質的に平行で、第１の方向に位置合わせされ、ガラス繊維補強ポリマーの第１のセットとは異なる第２の繊維のセットは実質的に平行で、第１の方向と異なる第２の方向に位置合わせされる。
2018535530.tif 000002
【特許請求の範囲】
【請求項１】
第１のアレイの平行な管状部材と、
第２のアレイの平行な管状部材であって、前記第２のアレイの平行な管状部材の各々が前記第１のアレイの複数の平行な管状部材と枢動可能に接続され、それによって格子を形成する、第２のアレイの平行な管状部材と
を含む、電気的に絶縁された格子であって、
前記管状部材の各々は、ガラス繊維補強ポリマーから形成され、
前記ガラス繊維補強ポリマーの第１の繊維のセットは実質的に平行で、第１の方向に位置合わせされており、第１の繊維のセットとは異なる前記ガラス繊維補強ポリマーの第２の繊維のセットは、実質的に平行で、前記第１の方向とは異なる第２の方向に位置合わせされている、電気的に絶縁された格子。
【請求項２】
前記第１のアレイおよび前記第２のアレイが、リベットによって枢動可能に接続された、請求項１に記載の電気的に絶縁された格子。
【請求項３】
前記第２の方向が、前記第１の方向と実質的に直交した、請求項１または２に記載の電気的に絶縁された格子。
【請求項４】
前記第１の方向が、軸方向または軸方向に対して概ね４５°の方向のうちの１つである、請求項３に記載の電気的に絶縁された格子。
【請求項５】
各管状部材が実質的に矩形の断面を有する、請求項１〜４のいずれか１項に記載の電気的に絶縁された格子。
【請求項６】
前記第１のアレイおよび前記第２のアレイのうちの少なくとも一方に、少なくとも１つのそれぞれの把持面が提供された、請求項１〜５のいずれか１項に記載の電気的に絶縁された格子。
【請求項７】
前記それぞれの把持面が、前記第１のアレイまたは前記第２のアレイのうちの、少なくとも一方の部材に取り付けられたそれぞれの把持部材に提供された、請求項６に記載の電気的に絶縁された格子。
【請求項８】
請求項１〜７のいずれか１項に記載された、電気的に絶縁された格子を形成するための部品のキットであって、
第１のアレイの平行な管状部材、および第２のアレイの平行な管状部材を形成するために構成された、複数の管状部材と、
前記第１のアレイの平行な管状部材を前記第２のアレイの平行な管状部材に枢動可能に接続するための、複数の枢動可能な締め具と、
を含む、部品のキット。
【請求項９】
図１を参照して実質的に記載された、電気的に絶縁された格子。
【発明の詳細な説明】
【技術分野】
【０００１】
本発明は、電気的に絶縁された格子マットに関する。
【背景技術】
【０００２】
格子マットは、第１のアレイの平行な管状部材と、第２のアレイの平行な管状部材とを含み、第２のアレイの平行な管状部材の各々は、第１のアレイの複数の平行な管状部材と枢動可能に接続され、それによって格子を形成する。格子マットは、安全な作業プラットフォームを提供し、空洞を介して屋根裏から落下するのを防ぐために使用することができる。特に、格子マットはコンパクトな構成で輸送することができ、現場で広げて、まばらな間隔の支持部材に架けて作業プラットフォームを提供することができる。いくつかの例において、格子マットは、床板が存在しない小梁または垂木に支持される、安全な作業プラットフォームを提供するために使用される。格子マットは、検査作業、メンテナンス、配管、または空中での装備作業など、様々な作業を実行するための安全な作業プラットフォームを提供する。
【０００３】
いくつかの例において、例えば格子マットが障害のある電気配線の上に配置された場合、不慮の感電の可能性を最小限に抑えるために、格子マットを電気的に絶縁することが有利となり得る。
【０００４】
格子マットの管状部材の各々が、プラスチック絶縁材によって全体を囲まれたアルミニウム管から形成される格子マットを提供することが、知られている。このようにして、格子マットは、プラスチック絶縁材のために電気が格子マットの材料に流れないので、電気的に絶縁された格子マットであると考えることができる。
【０００５】
残念ながら、使用と輸送を繰り返す間に、プラスチック絶縁材は損傷を受けることがある。このため、使用毎に予め格子マットの検査を実施する必要がある。絶縁材に損傷が見つかると、格子マットはもはや絶縁せず、新しいマットが必要となり得る。本開示は、従来技術の欠点の少なくともいくつかを克服する、電気的に絶縁された格子マットを提供することを目的とする。
【発明の概要】
【０００６】
本開示の態様によると、第１のアレイの平行な管状部材と、第２のアレイの平行な管状部材とを含む、電気的に絶縁された格子が提供される。第２のアレイの平行な管状部材の各々は、第１のアレイの複数の平行な管状部材と枢動可能に接続され、それによって格子を形成する。管状部材の各々は、ガラス繊維補強ポリマーから形成される。ガラス繊維補強ポリマーの第１の繊維のセットは実質的に平行で、第１の方向に位置合わせされ、ガラス繊維補強ポリマーの第１の繊維のセットとは異なる第２の繊維のセットは実質的に平行で、第１の方向とは異なる第２の方向に位置合わせされる。
【０００７】
したがって、管状部材を形成する異なる方向に延びる平行の繊維のセットは、たとえ、第１のアレイの平行な管状部材を、第２のアレイの平行な管状部材に接続するための、枢動可能な締め具に対応する穴が、管状部材に形成されたとしても、管状部材が支持用格子として使用されるのに十分な強度であることを保証する。第１の方向に位置合わせされた繊維は、少なくとも部分的に、第２の方向に位置合わせされた繊維を互いに保持する役割を担うことになり、枢動可能な締め具に対応するために管状部材に画定された穴を原因とする割裂に対して、格子の抵抗を増加させる。ガラス繊維補強ポリマーは電気絶縁性材料であり、格子にいかなる損傷があろうとも、本質的に格子は電気的に絶縁される。
【０００８】
第１のアレイおよび第２のアレイは、枢動可能な締め具によって枢動可能に接続されてよい。枢動可能な締め具は、リベットであってよい。いくつかの実施形態において、枢動可能な締め具は電気的に絶縁され得る。
【０００９】
第２の方向は、第１の方向から角度的に６０°離されてよい。この場合、絶縁された格子は第３の繊維のセットを含んでよい。第３の繊維のセットは実質的に平行で、第１および第２の方向とは異なる第３の方向に位置合わせされ、かつ第１および第２の方向の各々から角度的に６０°離される。
【００１０】
第２の方向は、第１の方向に対して実質的に直交してよい。したがってこの構成で、第２の繊維のセットの実質的に全ての引張り強度は、第１の繊維のセットの割裂に抵抗する役割を担うことができる。第１の方向は軸方向であってよい。第１の方向は、軸方向に対して概ね４５°であってもよい。
【００１１】
各管状部材は、実質的に矩形の断面を有し得る。一実施形態において、矩形の断面は方形断面である。いくつかの実施形態において、各管状部材は丸みが付いた角を有する断面であってよい。
【００１２】
第１のアレイおよび第２のアレイのうちの少なくとも１つには、少なくとも１つの把持面がそれぞれ提供されてよい。
【００１３】
把持面は、格子の外面に提供されてよい。把持面は、その上で格子が支持される１つの対象物または複数の対象物を把持できるよう、または格子によって支持される人または対象物に把持力をもたらすために、格子の一方の外側に提供されてよい。格子は両面仕立て、または片面であってよく、したがって、少なくとも１つの把持面が一方の側のみに提供される場合、把持面は配置されるときに常に格子の上面であるか、または配置されるときに常に格子の底面である。いくつかの実施形態において、格子には２つの外面に把持面が提供されてよい。
【００１４】
それぞれの把持面は、第１のアレイまたは第２のアレイのうちの少なくとも一方の管状部材に取り付けられた、それぞれの把持部材上に提供されてよい。把持部材は接着剤で取り付けられてもよい。したがって管状部材は、管状部材と一体で形成された把持面を有するように製造される必要はなく、製造の複雑さおよびコストを低減する。
【００１５】
本開示は、絶縁された格子を形成するための部品のキットに及ぶ。部品のキットは、第１のアレイの平行な管状部材および第２のアレイの平行な管状部材を形成するよう構成された複数の管状部材、ならびに、第１のアレイの平行な管状部材を第２のアレイの平行な管状部材に枢動可能に接続するための、複数の枢動可能な締め具を含む。
【００１６】
本発明の実施形態は、添付の図面を参照してさらに以下で説明する。
【図面の簡単な説明】
【００１７】
【図１】格子マットの平面図である。
【図２】本開示による、電気的に絶縁された格子マットの管状部材の断面図である。
【図３】本開示による、管状部材の繊維構造を示す図である。
【発明を実施するための形態】
【００１８】
図１は、格子マット１の平面図である。格子マット１は、第１のアレイの平行な管状部材２、および第２のアレイの平行な管状部材４を含む。第１のアレイの管状部材２の各々は、第１アレイの管状部材２と交差する第２のアレイの任意の平行な管状部材４と、枢動点として機能するリベット６によって枢動可能に接続される。格子マット１は、第１のアレイの平行な管状部材２が第２のアレイの平行な管状部材４に対して実質的に垂直に配置された、広げられた構成で示されている。この図から、第１のアレイの平行な管状部材２が、第２のアレイの平行な管状部材４の上に提供されていることが理解されよう。従来技術の格子マットのように、このマットは、格子マット１を水平または垂直に押し詰めることによって、輸送可能な構成となるよう折り畳むことができる。どちらの場合も、第１のアレイの平行な管状部材２および第２のアレイの平行な管状部材４の部材の各々の方向は、より接近させて位置合わせされることになる。多くの格子マットにおいて、第２のアレイの平行な管状部材の各々は、第１のアレイの複数の平行な管状部材と枢動可能に接続され、それによって格子を構成する。
【００１９】
格子マット１は、従来技術の格子マットと概ね同様の大きさに作られる。現在説明している実施形態において、展開した構成の格子マットは、概ね２メートルの長さ、および概ね０．９５メートルの幅を有する。代替の格子マットは、概ね２メートルの長さ、および概ね０．８メートルの幅で作ることができる。他のサイズのマットが、異なる数の管状部材２、４、および異なる外形サイズの管状部材を用いて、容易に形成され得ることを理解されたい。
【００２０】
図２は、本開示による、電気的に絶縁された格子マットの管状部材の断面図である。管状部材１０は実質的に方形断面で、Ａ側の長さはＢ側の長さと同一である。Ａ（したがってＢ）の長さは１５ミリメートルである。Ｂ側の壁厚ＴはＡ側の壁厚Ｔ２と同一で、２ミリメートルである。実質的に方形断面は、丸みが付いた角を有する。管状部材１０の内側の曲率半径Ｒ１は２ミリメートルである。管状部材１０の外側の曲率半径Ｒ２もまた２ミリメートルである。示されるように、従来技術の絶縁された格子マットとは異なり、管状部材１０は単一片として形成される。管状部材１０の全ての部品は絶縁性である。なぜなら管状部材１０は、ガラス繊維補強ポリマーから形成されるからである。ガラス繊維補強ポリマーは、本明細書で開示された電気的に絶縁された格子マットが使用されることになる環境において用いられる電圧を、実質的に絶縁する。管状部材１０は、この特定の実施形態において中空である。
【００２１】
上述した管状部材１０は方形断面を有しているが、必要な強度および構造剛性をもたらす任意の断面を用いることができることを理解されたい。
【００２２】
図３は、本開示による、ガラス繊維補強ポリマーの管状部材内の繊維構造を示す図である。管状部材２０は複数の層から形成され、各層は下の層の上に被さる。各層は、複数の平行なガラス繊維を含む。隣接する層のガラス繊維は異なる方向を向き、この場合は互いに直交している。全ての層は、ガラス繊維を所定の位置に保持するポリマーマトリックス内に位置する。最も内側の層２２は複数のガラス繊維を含み、各ガラス繊維は管状部材２０の軸方向と位置合わせされる軸方向に延びる。軸方向は、管に沿った方向と称されることもある。軸方向に延びる繊維は、長さ方向に必要な引張り強度および剛性を合成構造にもたらす。別の層２４は第２の複数のガラス繊維を含み、各ガラス繊維は周方向に延び、軸方向に対して垂直の、管周り方向とも称される。交差する繊維は、長さ方向の繊維を共に保持する役割を担い、交差する繊維が長さ方向の繊維と直交するため、長さ方向の繊維が割裂するのを防止する。交差する繊維の層を用いることによって、管状部材２０の最大曲げ強度は増加する。図１に示される電気的に絶縁された格子マットにおいて、管状部材は、リベットの形態の枢動可能な締め具を使用して、共に枢動可能に接続される。リベットの形態の枢動可能な締め具を受け入れるために管状部材に穴が設けられるとき、交差する繊維は、管状部材が割裂しないことを保証する。管状部材２０の全体構造は、不織または織物表面によって保護される。管状部材２０の１つまたは複数の側に用いられるポリマーマトリクスの量を変えることによって、表面の最終的なテクスチャを改変することができる。例えば、使用するポリマーマトリクスを少なくすると（またはガラス繊維を多くすると）、より多くのガラス繊維が表面に露出して、より粗面のテクスチャを作り出す。粗面のテクスチャは、１つまたは複数の把持面が提供され得る、電気的に絶縁された格子を作り出すのが望ましい場合に有用である。
【００２３】
代替のアプローチは、管状部材に取り付けられる把持部材を伴う把持面を、管状部材に提供することである。把持部材は、管状部材に接着剤で取り付けることができる。格子が支持される１つの対象物または複数の対象物に対して把持力を提供するために好適な、格子上の把持面を提供するため、または格子によって支持される人または対象物に把持力を提供するために、他の方法が用いられ得ることを理解されたい。
【００２４】
図３では、互いに直交するよう方向付けられた層が示されているが、角度的に９０°とは異なる角度で離して方向付けられた繊維の層もまた、管状部材に穴が形成されたときに、管状部材の割裂に対する抵抗を増加させる利益をもたらし得ることを理解されたい。通常、第１の方向に方向付けられた繊維は、ガラス繊維の比較的高い引張り強度によって、第１の方向とは異なる第２の方向に方向付けられた繊維に対して、筋交い効果を有する。
【００２５】
図３では、軸方向に方向付けられた少なくとも１つの層、および周方向に方向付けられた少なくとも１つの他の層が示されるが、いくつかの構成では、層は異なる方向に方向付けられてよく、さらに層は相互に横切る配置で方向付けられることを理解されたい。例えば一実施形態において、第１の層の繊維は、管状部材の軸方向に対して概ね４５°の角度で位置合わせされ、それによって管状部材の周りを軸方向および周方向の両方に広がる。第２の層の繊維も管状部材の軸方向に対して反対方向に概ね４５°の角度で方向付けられ、それによって第１の層の繊維と直交して広がり、かつ管状部材の周りを軸方向および周方向の両方に広がる。
【００２６】
各層が下の層の上に被さるように記載されたが、代わりに層が互いに編まれ、それによって互いに直交する繊維を有する織物を形成してもよいことを理解されたい。
【００２７】
管状部材２０が、円形断面を有する円筒形状として示されるが、同じ原則が、他の断面形状、特に方形または矩形に適用されることを理解されたい。
【００２８】
本明細書の説明および特許請求の範囲の全体で、「含む（comprise）」および「含有する（contain）」という単語、ならびにそれらの変形は、「含むが限定しない」を意味し、それらは他の構成要素または整数を除外すること（および除外しないこと）を意図しない。本明細書の説明および特許請求の範囲の全体で、文脈が別途要求しない限り、単数形は複数を含包する。特に不定冠詞が使用される場合、文脈が別途要求しない限り、本明細書では単数と同様に複数も企図するものと理解すべきである。
【００２９】
本発明の詳細な態様、実施形態、または例と共に説明された特徴、整数、特性、または群は、それらの中で矛盾しない限り、本明細書で説明した任意の他の態様、実施形態、または例に適用可能であることを理解すべきである。本明細書で開示した特徴の全て（添付の特許請求、要約書、および図面の全てを含む）は、少なくともいくつかのこのような特徴が互いに排他的である組み合わせを除き、任意の組み合わせに複合され得る。本発明は、任意の前述の実施形態の詳細に限定されるものではない。本発明は、本明細書（添付の特許請求の範囲、要約書、および図面の全てを含む）で開示された特徴の、任意の新規の物または任意の新規の組み合わせに及ぶ。
【符号の説明】
【００３０】
１  格子マット
２  管状部材
４  管状部材
６  リベット
１０  管状部材
２０  管状部材
２２  最も内側の層
２４  別の層
２６  
Ａ  長さ
Ｂ  長さ
Ｒ１  内側の曲率半径
Ｒ２  外側の曲率半径
Ｔ  Ｂ側の壁厚
Ｔ２  Ａ側の壁厚
【図１】
2018535530.tif 000003
【図２】
2018535530.tif 000004
【図３】
2018535530.tif 000005
【国際調査報告】
2018535530.tif 000006
2018535530.tif 000007
2018535530.tif 000008
2018535530.tif 000009
2018535530.tif 000010